(57)【要約】  【課題】背凭れを有し座を椅子本体に支持させてなる椅子において、背凭れ及び座の張り地の洗浄ないし交換を行う際等に、背凭れ及び座を椅子本体から容易に取り外し可能にする。  【解決手段】椅子本体１と、この椅子本体１に左右に対をなして設けてなる肘部材２と、この肘部材２に左右両側を支持させてなるとともに後傾可能な背凭れ４と、この背凭れ４に後端部を吊持させてなるとともにスライド支持機構Ｓを介して前部を椅子本体１に支持させてなる座５とを具備する椅子Ｃにおいて、前記スライド支持機構Ｓを、前記背凭れ４を前記肘部材２に支持させた際には座５を抜き取り不能領域Ｎ内でスライド可能かつ抜き取り不能に支持するとともに、前記背凭れ４を前記肘部材２に支持させない状態では、座５を前記抜き取り不能領域Ｎの外側の抜き取り領域まで移動可能にし、座５が抜き取り領域にある際に座５を椅子本体１から抜き取り可能な構成にする。  【選択図】図１０
2008142234.tif 000002
【特許請求の範囲】
【請求項１】
椅子本体と、この椅子本体に左右に対をなして設けてなる肘部材と、この肘部材に左右両側を支持させてなるとともに後傾可能な背凭れと、この背凭れに後端部を吊持させてなるとともにスライド支持機構を介して前部を椅子本体に支持させてなる座とを具備するものであって、前記スライド支持機構が、前記背凭れを前記肘部材に支持させた際には座を抜き取り不能領域内でスライド可能かつ抜き取り不能に支持するとともに、前記背凭れを前記肘部材に支持させない状態では、座を前記抜き取り不能領域の外側の抜き取り領域まで移動可能にし、座が抜き取り領域にある際に座を椅子本体から抜き取り可能にしていることを特徴とする椅子。
【請求項２】
前記スライド支持機構が、座又は椅子本体のうち一方に設けられ鍔部を有する突起と、他方に設けられ前記突起を挿通させてなる長孔とを具備するとともに、前記抜き取り領域に、前記鍔部を挿通可能に前記長孔の幅寸法を拡開させて設けた鍔部挿通口を設けていることを特徴とする請求項１記載の椅子。
【請求項３】
雄ネジ部材を利用して前記突起を形成しているものであって、この雄ネジ部材の頭部を鍔部としていることを特徴とする請求項２記載の椅子。
【請求項４】
前記抜き取り領域を、前記抜き取り不能領域の前端よりも前方に設定していることを特徴とする請求項１、２又は３記載の椅子。
【発明の詳細な説明】
【技術分野】
【０００１】
本発明は、スライド機構を介して座の前部を椅子本体に支持させてなる椅子に関する。
【背景技術】
【０００２】
近年、背凭れを通常位置と後傾位置との間で移動させることが可能であるとともに、背凭れの移動に追随して座を移動させることが可能な椅子が種々考えられている。このような椅子において、座及び背凭れを通常位置と後傾位置との間で移動させることを可能にすべく、椅子本体に回動可能に支持させた１本の背支桿を設け、この背支桿の下部に座の後端部を支持させるとともに、スライド機構を介して座の前部を椅子本体に支持させてなる構成がさらに考えられている（例えば、特許文献１を参照）。
【特許文献１】特開２００２−１７２０４０号公報
【発明の開示】
【発明が解決しようとする課題】
【０００３】
ところで、このような椅子において、背凭れ及び座の張り地を容易に洗浄ないし交換できるようにする等の目的で、背凭れ及び座を椅子本体から容易に取り外し可能にする要望が存在する。しかし、特許文献１記載のものに代表される従来の椅子では、背凭れの取り外し作業と座の取り外し作業とを別々に行う必要があり、手間がかかる不具合が存在する。
【０００４】
本発明は、以上に述べた課題を解決すべく構成するものである。
【課題を解決するための手段】
【０００５】
すなわち本発明に係る椅子は、椅子本体と、この椅子本体に左右に対をなして設けてなる肘部材と、この肘部材に左右両側を支持させてなるとともに後傾可能な背凭れと、この背凭れに後端部を吊持させてなるとともにスライド支持機構を介して前部を椅子本体に支持させてなる座とを具備するものであって、前記スライド支持機構が、前記背凭れを前記肘部材に支持させた際には座を抜き取り不能領域内でスライド可能かつ抜き取り不能に支持するとともに、前記背凭れを前記肘部材に支持させない状態では、座を前記抜き取り不能領域の外側の抜き取り領域まで移動可能にし、座が抜き取り領域にある際に座を椅子本体から抜き取り可能にしていることを特徴とする。
【０００６】
このようなものであれば、まず肘部材から背凭れを取り外し、座を抜き取り領域まで移動させて座を椅子本体から抜き取る簡単な操作により背凭れ及び座を椅子本体から取り外すことができる。
【０００７】
具体的な構成の一例として、前記スライド支持機構が、座又は椅子本体のうち一方に設けられ鍔部を有する突起と、他方に設けられ前記突起を挿通させてなる長孔とを具備するとともに、前記抜き取り領域に、前記鍔部を挿通可能に前記長孔の幅寸法を拡開させて設けた鍔部挿通口を設けているものが挙げられる。このようなものであれば、スライド領域では長孔の開口端縁を鍔部に対向させて抜け止めを図りつつ、抜き取り領域の鍔部挿通口を鍔部と重合させ、座をそのまま引き上げることにより座の抜き取り操作を簡単に行うことができる。
【０００８】
前段で述べた係合構造を簡単に実現できる構成として、雄ネジ部材を利用して前記突起を形成しているものであって、この雄ネジ部材の頭部を鍔部としているものが挙げられる。
【０００９】
また、前記抜き取り領域を、前記抜き取り不能領域の前端よりも前方に設定しているものであれば、椅子としての使用時には座を前記抜き取り不能領域の前端より前方に移動させることは略ありえないので、誤操作により座が抜き取られる不具合の発生を防ぐことができる。
【発明の効果】
【００１０】
本発明に係る椅子の構成によれば、まず肘部材から背凭れを取り外し、座を抜き取り領域まで移動させて座を椅子本体から抜き取る簡単な操作により背凭れ及び座を椅子本体から取り外すことができる。
【発明を実施するための最良の形態】
【００１１】
以下、本発明の一実施形態を、図面を参照して説明する。
【００１２】
本実施形態に係る椅子Ｃは、図１ないし図６に示すように、椅子本体１と、この椅子本体１に通常位置Ｕから後傾位置Ｔまでの間で傾動し得るように支持させた左右の肘部材２、２と、これら肘部材２、２を通常位置Ｕ方向に弾性付勢する付勢機構３と、前記肘部材２、２の傾動端部に左右両端部をそれぞれ支持させた背凭れ４と、前端部を前記椅子本体１に支持させるとともに後端部を前記背凭れ４に支持させた座５とを具備する。なお、図１には正面側全体斜視図、図２には正面図、図３には側面図、図４には中央側断面図、図５には分解斜視図、図６には背面側全体斜視図をそれぞれ示している。
【００１３】
さらに詳述すると、前記椅子本体１は、前記図１ないし図６に示すように、また、図７にこの椅子本体１に前記肘部材２を組み付けた状態の側面図を示すように、床面から起立する脚１１と、この脚１１の上方に設けた基体１２とを具備する。前記脚１１は、略鉛直に起立する脚支柱１１１と、この脚支柱１１１を下方から支持する脚羽根１１２とを備えた、事務用回転椅子に広く用いられている脚として周知のものと同様の構成を有する。前記基体１２は、前記脚１１の上端近傍から斜め上方に延伸させて設けた、例えばアルミダイキャスト製の部材であり、その内部に前記付勢機構３を収納している。そしてこの基体１２に、上述したように前記肘部材２を傾動可能に支持させている。
【００１４】
前記左右の肘部材２、２は、本実施形態では、前記図２ないし図７に示すように、横架材６により一体に接続している。この横架材６は、前記椅子本体１の基体１２に左右両面に貫通させて設けた肘部材挿通孔１２ｘに挿通させている。一方、この肘部材２は、前記横架材６の側端から起立する起立部２１と、この起立部２１の上端から後方に延伸させて設けた肘当て部２２とを備えている。この肘当て部２２は、通常はカバー２２１により被覆するようにしている。そして、肘部材２、２と前記横架材６とは、前記図４の実線に示す前記通常位置Ｕと前記図４の想像線に示す後傾位置Ｔとの間で一体に傾動する。そして、図８に示すように、この肘部材２は、背凭れ４の一部である剛性部品４１にネジ止めにより接続するようにしている。なお、前記図８では、カバー２２１を前方に移動させて、この肘部材２と背凭れ４との接合部分付近を露出させている。
【００１５】
前記付勢機構３は、前記図４に示すように、前記基体１２内に収納してなる反力バネ３１と、この反力バネ３１の一端を固定すべく前記基体１２前部に設けたリテーナ３２と、前記反力バネ３１の他端に当接させ前記肘部材２に反力バネ３１の弾性力を伝達させるべく前記横架材６から下方に突出させて設けたバネ受舌片３３とを具備する。この付勢機構３は、前記肘部材が前記通常位置Ｕから前記後傾位置Ｔに移動すると、前記バネ受舌片３３が前方に移動し、このバネ受舌片３３に当接させた反力バネ３１が圧縮されるように構成している。そして、前記バネ受け舌片３３に反力バネ３１の弾性力を作用させて、肘部材２、２に対して前記後傾位置Ｔから前記通常位置Ｕに向かう方向に作用する弾性付勢力を供給する。すなわち、前記肘部材２は、反力バネから受ける弾性付勢力を受けつつ傾動可能である。
【００１６】
前記背凭れ４は、前記図４及び図６に主に示すように、背凭れ４の下部を構成する剛性部品４１と、この剛性部品４１の上方に設けられる弾性変形可能なフレームたる弾性フレーム部材４２と、これら剛性部品４１及び弾性フレーム部材４２の前方に設けられる張地４３とを有する。
【００１７】
前記剛性部品４１は、座５を吊持させてなる部位である左右１対の座吊持部４１１、４１１と、前記図８に示すように前記肘部材２、２と係合させてなる左右１対の取付部４１２、４１２とを一体に有する。前記座吊持部４１１は、前記座５を吊持させるための枢着軸４１１ａを備えていて、後方に張り出した形状を有する。前記取付部４１２は、前方に突出する略円筒状の部材であり、前記肘部材２を内部に挿入可能であるとともにネジ部材を介して肘部材２を固定可能である。
【００１８】
また、前記弾性フレーム部材４２は、着座者から荷重を受けることにより弾性変形可能である。前記張地４３の前面すなわち背凭れ面４ａは、本実施形態では前上方に向いていて、この背凭れ面４ａが荷重を受けると、取付部４１２を介してこの荷重を前記肘部材２の肘当て部２２の自由端すなわち傾動端に伝達する。そして、この弾性フレーム部材４２には、張地４３を挿入するための張地挿入スリットを全周にわたって設けている。すなわち、前記張地４３は、この張地挿入スリットに挿入するようにしている。
【００１９】
そしてこの背凭れ４は、前記肘部材２とともに、着座者からの荷重を受けて、前記反力バネ３１からの弾性付勢力を受けつつ前記図４の実線に示す前記通常位置Ｕと前記図４の想像線に示す後傾位置Ｔとの間で傾動する。
【００２０】
前記座５は、上述したように、背凭れ４に座吊持機構Ｊを介して後端部を吊持させてなるとともに、前端部は前記基体１２の前端にスライド支持機構Ｓを介して前後移動可能に支持させている。ここで、この座５近傍の底面側を示す斜視図を図９に示す。さらに詳述すると、この座５は、座面を有する座本体５１と、この座本体５１の後端部の両側縁から起立させて設けた左右１対の接合部５２、５２とを有する。
【００２１】
前記座本体５１は、さらにクッション５１１と、このクッション５１１の下方に設けてなるシェル５１２とを備えている。ここで、前記クッション５１１を取り外した状態の座５近傍の斜視図を図１０に示す。前記シェル５１２の前端部には、前記基体１２に設けた突起１２１に前後スライド可能に係合させてなる長孔５１２ｘを設けている。すなわち、これら突起１２１及び長孔５１２ｘによりスライド支持機構Ｓを形成していて、この座５は、前記図４の実線に示す通常位置Ｕと前記図４の想像線に示す後傾位置Ｔとの間のスライド領域内を移動可能である。前記突起１２１は、本実施形態では前記長孔５１２ｘを挿通させて基体１２に螺合させた雄ネジ部材であり、この雄ネジ部材の頭部を鍔部１２１ａとしている。ここで、座５が前記スライド領域内を移動する際、この突起１２１と前記長孔５１２ｘとの間の相対位置は、抜き取り不能領域Ｎ内である。さらに、前記スライド領域の前方には、長孔５１２ｘの延長上に幅寸法を拡開させて設けた鍔部挿通孔５１２ｙを有する抜き取り領域設けていて、前記鍔部１２１ａを挿通可能にしている。
【００２２】
一方、前記接合部５２は、図１１に示すように、基端部を前記シェル５１２に接続していて、先端部を背凭れ４の下端に水平方向に延伸する軸心周りに回動可能に枢着している。具体的には、背凭れ４の前記剛性部品４１に設けた座枢着軸４１１ａにこの接合部５２の先端部を枢着している。すなわち、これら座枢着軸４１１ａ及び接合部５２により座吊持機構Ｊを形成している。そしてこの座５は、前記肘部材２及び背凭れ４と連動して、前記図４の実線に示す通常位置Ｕと前記図４の想像線に示す後傾位置Ｔとの間で、前記反力バネ３１からの弾性付勢力を受けつつ傾動する。また、この接合部５２には、表面を被覆するカバー５２１を設けている。このカバー５２１は、図１２に分解斜視図を示すように、前カバー要素５２１ａと、後カバー要素５２１ｂとを備えた半割構造を有する。前記後カバー要素５２１ｂは、本実施形態では接合部５２に前方からネジ止めして取り付けるようにしている。また、図示はしないが、この後カバー要素５２１ｂには、前カバー要素５２１ａに設けた弾性係合爪に係合可能な爪受部を設けている。一方、前記前カバー要素５２１ａは、前述したように弾性係合爪を有し、この弾性係合爪を前記後カバー要素５２１ｂの爪受部に弾性係合させて取り付けるようにしている。そして、このカバー５２１は、前記剛性部品４１に設けた枢着軸４１１ａを全周にわたって被覆する。
【００２３】
この椅子Ｃに着座すると、着座者の荷重は、背凭れ４及び座５が分散して受ける。しかして、背凭れ４が受けた荷重は肘部材２に伝達され、これら肘部材２及び背凭れ４は前記横架材６と一体的に通常位置Ｕから後傾位置Ｔに向けて後傾動作を行う。このとき、バネ受け舌片３３が反力バネ３１を押圧するので、反力バネ３１は肘部材２及び背凭れ４の後傾動作を受けてこれら肘部材２及び背凭れ４に通常位置に向かう弾性付勢力を供給する。そして、背凭れ４が前記横架材６の軸心を回動中心として後傾動作を行うと、背凭れ４の下端は後方に移動し、前記座吊持機構Ｊによりこの背凭れ４の下端に後端部を吊持させた座５は、前記スライド支持機構Ｓによりスライド方向を案内されつつ後下方に移動する。
【００２４】
そして、張地４３の交換等の際には、肘部材２から背凭れ４を取り外し、背凭れ４及び座５を通常位置Ｕからさらに前方の抜き取り領域にスライド移動させ、前記突起１２１の鍔部１２１ａと前記鍔部挿通孔５１２ｙとを重合させる。そして、前記座５を上方に引き抜いて椅子本体１から背凭れ４及び座５を抜き取るようにしている。
【００２５】
本実施形態に係る椅子Ｃの構成によれば、以上に述べたように、椅子本体１と、この椅子本体１に設けてなる肘部材２と、この肘部材２に左右両側を支持させてなるとともに後傾可能な背凭れ４と、この背凭れ４に後端部を吊持させてなるとともにスライド支持機構Ｓを介して前部を椅子本体１に支持させてなる座５とを具備するとともに、前記スライド支持機構Ｓが、前記背凭れ４を前記肘部材２に支持させた際には座５を抜き取り不能領域内でスライド可能かつ抜き取り不能に支持するとともに、前記背凭れ４を前記肘部材２に支持させない状態では、座５を前記抜き取り不能領域の前方外側の抜き取り領域まで移動可能にし、座が抜き取り領域にある際に座５を椅子本体１から抜き取り可能にしているので、以下のような効果が得られる。すなわち、まず肘部材２から背凭れ４を取り外し、座５を抜き取り領域まで移動させて座５を椅子本体１から抜き取る簡単な操作により背凭れ４及び座５を椅子本体１から取り外すことができる。
【００２６】
また、前記スライド支持機構Ｓが、椅子本体１に設けられ鍔部１２１ａを有する突起１２１と、座５に設けられ前記突起１２１を挿通させてなる長孔５１２ｘとを具備するとともに、前記抜き取り領域に、前記鍔部１２１ａを挿通可能に前記長孔５１２ｘの幅寸法を拡開させて設けた鍔部挿通口５１２ｙを設けているので、抜き取り不能領域では長孔５１２ｘの開口端縁を鍔部１２１ａに対向させて抜け止めを図りつつ、抜き取り領域の鍔部挿通口５１２ｙを鍔部１２１ａと重合させ、座５をそのまま引き上げることにより座５の抜き取り操作を簡単に行うことができる。
【００２７】
また、雄ネジ部材を利用して前記突起１２１を形成しているとともに、この雄ネジ部材１２１の頭部を鍔部１２１ａとしているので、前段で述べた係合構造を簡単に実現できる。
【００２８】
そして、前記抜き取り領域を、前記抜き取り不能領域の前端すなわち通常位置Ｕよりも前方に設定しているので、椅子としての使用時には座５を前記通常位置Ｕより前方の抜き取り領域に移動させることは略あり得ず、従って誤操作により座５が抜き取られる不具合の発生を防ぐことができる。
【００２９】
なお、本発明は以上に述べた実施形態に限られない。
【００３０】
例えば、スライド支持機構は、座から下方に突出させて設けた突起と、椅子本体側に該突起と係合可能に設けた長孔とを利用して形成してもよい。また、長孔を拡開して鍔部挿通口を設ける替わりに、突起を弾性変形させて長孔との係合を解除させる態様を採用してもよい。
【００３１】
さらに、前記突起は雄ネジ部材を利用して形成する必要はなく、例えば座のシェルと予め一体成形して設けるようにしてもよい。
【００３２】
そして、抜き取り不能領域の前端より前方に抜き取り領域を設けるのでなく、抜き取り不能領域の後端よりも後方に抜き取り領域を設けるようにしてもよい。
【００３３】
その他、本発明の趣旨を逸脱しない範囲で種々変形が可能である。
【図面の簡単な説明】
【００３４】
【図１】本発明の第一実施形態に係る椅子の正面側全体斜視図。
【図２】同実施形態に係る椅子を示す正面図。
【図３】同実施形態に係る椅子を示す側面図。
【図４】同実施形態に係る椅子を示す中央側断面図。
【図５】同実施形態に係る椅子を示す分解斜視図。
【図６】同実施形態に係る椅子を示す背面側全体斜視図。
【図７】同実施形態に係る椅子の椅子本体に肘部材を組み付けた状態の側面図。
【図８】同実施形態に係る椅子の肘部材、背凭れ、及び座の接続部分を示す背面側斜視図。
【図９】同実施形態に係る椅子の椅子本体と座との接続部分を示す底面側斜視図。
【図１０】同実施形態に係る椅子の座のクッションを取り外した状態を示す斜視図。
【図１１】同実施形態に係る椅子の座の接合部を示す底面図。
【図１２】同実施形態に係る椅子の座の接合部のカバーの取り付け態様を示す分解斜視図。
【符号の説明】
【００３５】
Ｃ…椅子
１…椅子本体
２…肘部材
４…背凭れ
５…座
【図１】
2008142234.tif 000003
【図２】
2008142234.tif 000004
【図３】
2008142234.tif 000005
【図４】
2008142234.tif 000006
【図５】
2008142234.tif 000007
【図６】
2008142234.tif 000008
【図７】
2008142234.tif 000009
【図８】
2008142234.tif 000010
【図９】
2008142234.tif 000011
【図１０】
2008142234.tif 000012
【図１１】
2008142234.tif 000013
【図１２】
2008142234.tif 000014